(57)【要約】【課題】プリント板のバックプレーンに近い部分を押圧することで、コネクタの挿抜に要する力を効率良くプリント板に作用させた電子装置のＰＩＵ挿抜機構を提供する。【解決手段】カードレバー５の操作ハンドル５２を反時計方向に回転させて、プッシュピン７４を開口部９１の後縁に当接させる。この状態でカードレバー５をさらに回転させると、アーム７を介して挿入方向にプラグインユニットを移動させる押圧力が係合部材９に作用するため、プリント板２０に歪みを生じさせることなしに、プラグインコネクタ１３との嵌合が開始される。【選択図】図７
2008047746.tif 000002
【特許請求の範囲】
【請求項１】
ブックシェルフ型の電子装置にプリント板を挿抜可能とした電子装置のＰＩＵ挿抜機構において、
前記プリント板が実装されるバックプレーンを背面に有するシェルフと、
前記シェルフの前面で軸支され、前記プリント板の挿抜時に回動操作されるカードレバーと、
前記カードレバーと基部が連結されるとともに、遊端が前記シェルフのバックプレーン方向に延長形成されたアームと、
前記プリント板が前記シェルフ内に挿入された状態で、前記アームの遊端と係合するように前記プリント板の先端部分に設けられた係合部材と、
を備え、
前記カードレバーを一方向へ回動操作することで前記アームの遊端が前記係合部材に係合し、さらに回動操作することで、前記アームの遊端によって前記係合部材を介して前記プリント板が前記シェルフ内でバックプレーン方向に押圧されるとともに、前記カードレバーを他方向に回動操作することで、前記アームの遊端によって前記係合部材を介して前記プリント板が前記シェルフ内でバックプレーンから離れる方向に押圧されるように構成したことを特徴とする電子装置のＰＩＵ挿抜機構。
【請求項２】
前記係合部材は、前記アームの遊端が係合するように、所定の深さに形成された開口部を備え、
前記バックプレーンのコネクタから前記プリント板が抜去された状態で、前記カードレバーを前記他方向にさらに回動操作したとき、前記アームの遊端が前記開口部から離脱するように構成したことを特徴とする請求項１記載の電子装置のＰＩＵ挿抜機構。
【請求項３】
前記アームは、前記シェルフのバックプレーン近傍に形成されたガイド溝によって案内されるガイドピンと、前記開口部と係合するプッシュピンを、その遊端部分に備え、
前記アームを延長方向に押圧することによって、前記プッシュピンが前記開口部の底部まで誘導されるように構成したことを特徴とする請求項２記載の電子装置のＰＩＵ挿抜機構。
【請求項４】
前記ガイド溝は、前記ガイドピンを退避させる退避路を備え、
前記プリント板を前記シェルフへ挿入した状態で、前記係合部材が前記プッシュピンと係合する以前に前記カードレバーを前記一方向へ回動操作したとき、前記ガイドピンを前記退避路に案内するように構成したことを特徴とする請求項３記載の電子装置のＰＩＵ挿抜機構。
【請求項５】
前記カードレバーは、その操作ハンドルを操作不能に固定するロックレバーを備え、
前記バックプレーンのコネクタに前記プリント板が嵌合するまで回動操作されたとき、前記ロックレバーをロック状態にするように構成したことを特徴とする請求項１記載の電子装置のＰＩＵ挿抜機構。
【発明の詳細な説明】
【技術分野】
【０００１】
本発明は、ブックシェルフ型の電子装置にプリント板を挿抜可能とした電子装置のＰＩＵ（プラグインユニット）挿抜機構に関し、特にプリント板をバックプレーンに挿抜する際にプラグインユニットの電子部品にダメージを与えないようにした電子装置のＰＩＵ挿抜機構に関する。
【背景技術】
【０００２】
従来のブックシェルフ型の電子装置において、プリント板をバックプレーンに嵌合し、抜去する際に、プラグインユニットのフロントパネルに固着されたカードレバーの爪を、シェルフ本体前面に配置されたストライクプレートに係合させ、カードレバーの回転による推進力をプリント板に伝達させるようにしていた。
【０００３】
図１９は、従来のバックプレーンを有するブックシェルフ型の電子装置の全体構成を示す斜視図である。
シェルフ１０は、背面の所定の奥行き位置に配置されたバックプレーン１１をマザーボードとするサブラック装置を構成しており、ここにプラグインユニットが嵌合される。このシェルフ１０内には、それぞれにガイドレール１２を形成したガイドプレートが上下方向で所定間隔をもって配置され、バックプレーン１１にはプラグインコネクタ１３が配置されている。これらシェルフ１０内のガイドレール１２に沿って、プリント板２０の上下辺が案内されることにより、複数枚のプラグインユニットが整列配置される構成となっている。
【０００４】
プリント板２０には、挿入方向の手前面にフロントパネル２１が備えられ、挿入方向の奥側にプラグインコネクタ２２とガイドモジュール（図示なし）が備えられている。プリント板２０のプラグインコネクタ２２は、ガイドモジュールによって正確に位置決めされ、バックプレーン１１のプラグインコネクタ１３に対して実装される。シェルフ１０の前面には、ガイドレール１２が形成された上下のガイドプレートにそれぞれストライクプレート１４，１５が形成され、一方、プリント板２０のフロントパネル２１の上下端部には、それぞれカードレバー２４，２５が配置されている。
【０００５】
図２０（ａ）は、従来のプリント板の構成を示す平面図、同図（ｂ）は同じくバックプレーンと接続された状態でプリント板の主要部を示す側面図である。
ストライクプレート１４には、カードレバー２４の爪部２４ａと係合する凹部１４ａが形成されており、カードレバー２４を矢印Ａ方向に回動することで、プリント板２０に対して挿入方向の力Ｆ１が作用する。これがプラグインコネクタ２２をバックプレーン１１側に押圧する力となって、シェルフ１０に挿入されたプリント板２０に必要な嵌合力を与えることができる。
【０００６】
このように構成された従来のＰＩＵ挿抜機構では、バックプレーン１１のプラグインコネクタ１３にプリント板２０を挿入する場合、プラグインコネクタ２２をしっかりと押込むために、それぞれカードレバー２４，２５を奥側に押して、フロントパネル２１に押し付けるまで回動操作している。ところが、カードレバー２４，２５からバックプレーン１１のプラグインコネクタ１３へ伝達される挿入力は、プリント板２０の前端から後端に向かって作用するため、プリント板２０が大きくたわむ場合があり、プリント板２０の破損、あるいはプリント板２０上に装着された電子回路部品に悪影響を与える恐れがあった。
【０００７】
図２１は、従来のプラグインユニットとして組み立てられたプリント板を示す斜視図、図２２は、従来のプラグインユニットを分解した状態で示す斜視図である。
光伝送装置などの電子装置では、プラグインユニットを構成するプリント板２０に光変換モジュール２６，２７などが取り付けられることがある。こうした光変換モジュール２６，２７は、その表面に所定の厚みを有する放熱用フィン２６ａ，２７ａが形成されていることがあって、サイズの大きい開孔２０ａ，２０ｂをプリント板２０に形成してから、モジュール取付用のねじ２８，２９を用いて固定するようにしていた。
【０００８】
図２３は、従来のプラグインユニットの表面、およびその上部平面と側部平面を示す三面図、図２４は、従来のプラグインユニットの裏面を示す図である。
このようなプラグインユニットは、プリント板２０に所定の大きさの開孔２０ａ，２０ｂを形成することで、光変換モジュール２６，２７などを有する光伝送装置が実現できる。しかも、プリント板２０上での部品配置に自由度を持たせることができる利点がある。
【０００９】
このように構成された従来のＰＩＵ挿抜機構では、開孔２０ａ，２０ｂが形成されることでプリント板２０の剛性に不足が生じる。ところが、カードレバー２４，２５からの押圧力はプリント板２０を介して伝達されるため、プラグインする際にプラグインユニットのプリント板２０が変形し、さらにはプリント板２０自体の破損につながる恐れがあった。
【００１０】
つぎに、従来の電子装置におけるプラグインユニットの挿入操作について説明する。
図２５乃至図２８は、従来の電子装置におけるプラグインユニットの挿入操作を示す説明図である。ここでは、プラグインユニットの上部に配置されたカードレバー２４の回動操作を中心に説明するが、下部に配置したカードレバー２５も同時に回動操作されるものとする。
【００１１】
図２５では、プラグインユニットが図の右方向に押圧され、バックプレーン１１に配置されたプラグインコネクタ１３に挿入されていく状態を示している。このとき、カードレバー２４の第１爪部２４ａは下降した状態で、ストライクプレート１４の凹部１４ａの直下に達しているが、図には出現していない。また、プリント板２０の先端部では、プラグインコネクタ２２がプラグインコネクタ１３に近接している。
【００１２】
図２６では、カードレバー２４が反時計方向に回転され、第１爪部２４ａがフロントパネル２１から出現し、ストライクプレート１４の凹部１４ａの内側面に当接する。すなわち、カードレバー２４の第１爪部２４ａとストライクプレート１４の凹部１４ａが互いに係合した状態になる。
【００１３】
図２７では、さらにカードレバー２４が反時計方向に回転することで、第１爪部２４ａがストライクプレート１４の凹部１４ａを押圧する。ここで、プラグインユニットの下部においては、図示されていない同様のカードレバー２５が、同様に回動操作されるため、プラグインユニットは上下のガイドレール１２に沿って全体として図示の矢印Ｂ方向に円滑に移動して、プリント板２０のプラグインコネクタ２２がプラグインコネクタ１３の挿入位置まで前進する。
【００１４】
図２８では、カードレバー２４は垂直下向きの状態まで回動操作されて、プラグインユニットはカードレバー２４，２５からの押圧力によって、矢印Ｂ方向にさらに移動している。これにより、プラグインユニットはバックプレーン１１のプラグインコネクタ１３に接続された状態となる。
【００１５】
なお、プラグインユニットの抜去時には、上述したプラグインユニットの挿入操作とは反対の操作が行われ、図２５に示すカードレバー２４の第２爪部２４ｂがストライクプレート１４の外側面に作用する。
【００１６】
図２９は、従来の電子装置におけるプラグインユニットの挿入操作に係る課題を説明する図である。
ここでは、図２６の挿入初期段階で第１爪部２４ａがストライクプレート１４の凹部１４ａに当接する位置と、図２８の最終段階で第１爪部２４ａがストライクプレート１４の凹部１４ａに接触している位置とを比較している。
【００１７】
カードレバー２４を操作してプラグインユニットを嵌合する際に、カードレバー２４の第１爪部２４ａは回転軸２４ｃを中心とする円弧を軌跡とする動きをするため、第１爪部２４ａと受け部を構成するストライクプレート１４の凹部１４ａとの当接位置が相対的に変動し、一定とならない。カードレバー２４の第２爪部２４ｂによる抜去の際も同様であって、カードレバー２４とその受け部となるストライクプレート１４の外側面との間で、強い押圧力が生じた状態となって擦れながら移動する。
【００１８】
このように構成された従来のＰＩＵ挿抜機構では、強度の大きい挿抜レバーを用いた場合、光・電子機器のプラグインユニットだけでなく、バックプレーン１１、プラグインコネクタ１３、及びシェルフ１０などにそれぞれ付加される力が大きくなって、これらの構成部品を破損する恐れがあった。こうした課題を解決するために、例えば特許文献１には、各可動型バックボードの動作をカムに設けられたカム溝の移動曲線によって位相差を設け、複数組のコネクタハウジング及びコネクタプラグをそれぞれ別々にかつ時間差をもって嵌合させた嵌合機構の発明が記載されている。
【特許文献１】特開２０００−９１７７２号公報（段落番号［００１４］〜［００３２］、図１及び図２）
【発明の開示】
【発明が解決しようとする課題】
【００１９】
上述したように、従来のＰＩＵ挿抜機構ではプリント板２０が大きくたわむ場合があり、プリント板２０の破損、あるいはプリント板２０上に装着された電子回路部品に悪影響を与える恐れがあった。
【００２０】
また、プリント板２０の剛性に不足が生じると、プラグインする際にプラグインユニットのプリント板２０が変形し、プリント板２０自体の破損につながる恐れがあった。
さらに、カードレバー２４，２５の操作力はストライクプレート１４との摩擦によって損失するから、高速・高密度コネクタを備えたプラグインユニットでは、コネクタ嵌合に必要な力を効率的に得ることができない。しかも、プラグインユニット抜去時のカードレバー２４，２５の作用によって、ストライクプレート１４の表面を傷付ける恐れがあった。このため、電子装置の出荷前にプラグインユニットをテスト操作することで、製品にダメージを与えてしまうという問題が生じていた。
【００２１】
本発明はこのような点に鑑みてなされたものであり、プリント板のバックプレーンに近い部分を押圧することで、コネクタの挿抜に要する力を効率良くプリント板に作用させた電子装置のＰＩＵ挿抜機構を提供することを目的とする。
【課題を解決するための手段】
【００２２】
本発明の一実施態様では上記問題を解決するために、ブックシェルフ型の電子装置にプリント板を挿抜可能とした電子装置のＰＩＵ挿抜機構において、前記プリント板が実装されるバックプレーンを背面に有するシェルフと、前記シェルフの前面で軸支され、前記プリント板の挿抜時に回動操作されるカードレバーと、前記カードレバーと基部が連結されるとともに、遊端が前記シェルフのバックプレーン方向に延長形成されたアームと、前記プリント板が前記シェルフ内に挿入された状態で、前記アームの遊端と係合するように前記プリント板の先端部分に設けられた係合部材と、を備え、前記カードレバーを一方向へ回動操作することで前記アームの遊端が前記係合部材に係合し、さらに回動操作することで、前記アームの遊端によって前記係合部材を介して前記プリント板が前記シェルフ内でバックプレーン方向に押圧されるとともに、前記カードレバーを他方向に回動操作することで、前記アームの遊端によって前記係合部材を介して前記プリント板が前記シェルフ内でバックプレーンから離れる方向に押圧されるように構成したことを特徴とする電子装置のＰＩＵ挿抜機構が提供される。
【００２３】
本発明の一実施態様に係る電子装置のＰＩＵ挿抜機構では、挿抜時にカードレバーが回動操作されると、その力がシェルフのバックプレーン方向に延長形成されたアームを介してプリント板のバックプレーンに近い部分に伝達される。したがって、従来のフロントパネルにカードレバーが取り付けられたプラグインユニットと比較して、プリント板のたわみが抑えられる。
【発明の効果】
【００２４】
本発明の電子装置のＰＩＵ挿抜機構によれば、プリント板のたわみを抑えることで、ＢＧＡ（Ball Grid Array）等のような表面実装部品における接合信頼性の向上が図れる。また、プリント板の中央に角穴を空けるなどして、プリント板上での部品配置に自由度を持たせることができる。
【発明を実施するための最良の形態】
【００２５】
以下、この発明の電子装置のＰＩＵ挿抜機構に適用した実施の形態について、図面を参照して説明する。
（実施の形態１）
図１は、本発明に係るブックシェルフ型の電子装置の全体構成を示す斜視図である。また、図２は、プラグインユニットがバックプレーンと接続された状態で示す部分説明図である。ここで、図１９に示す従来装置と対応する部分には、同一参照符号を付けている。
【００２６】
図１に示すように、シェルフ１は、背面の所定の奥行き位置に配置されたバックプレーン１１をマザーボードとするサブラック装置を構成しており、ここに複数のプラグインユニットが整列配置される。シェルフ１のバックプレーン１１には、プラグインコネクタ１３が配置されている。プリント板２０は、フロントパネル２１が挿入方向の手前側に、また挿入方向の奥側にプラグインコネクタ２２とガイドモジュール（図示なし）を備えているが、従来のシェルフ１０（図１９参照）と異なり、ここにカードレバーは設けられていない。
【００２７】
シェルフ１の底板１ａ側には、プリント板２０の下辺をガイドするガイドプレート２が設けられ、その天板１ｂ側にも、図２に示すように、プリント板２０の上辺をガイドするガイドプレート３が設けられている。シェルフ１には、それぞれガイドプレート２，３の前面でスロット毎に、カードレバー４，５が回動可能に軸支されている点で、従来のシェルフ１０（図１９参照）と異なっている。
【００２８】
これらのガイドプレート２，３の外側には、それぞれカードレバー４，５と基部が連結されたアーム６，７が、シェルフ１のバックプレーン１１方向に延長形成されている。プリント板２０の上下辺の先端部分には、それぞれアーム６，７の遊端に係合するように係合部材８，９が設けられている。
【００２９】
このような構成の電子装置のＰＩＵ挿抜機構は、シェルフ１のスロット毎に上下対称に構成されている。すなわち、ガイドプレート２，３の前面で回動操作される一対のカードレバー４，５は、最初にガイドプレート２，３と平行位置にあって、プリント板２０のプラグインコネクタ２２がバックプレーン１１のプラグインコネクタ１３と接触する状態まで挿入されたとき、カードレバー４，５をそれぞれフロントパネル２１に接触する方向に回動操作する。これによって、まずアーム６，７の遊端が係合部材８，９に係合し、さらにカードレバー４，５を回動操作することで、アーム６，７の遊端が係合部材８，９を介してプリント板２０をシェルフ１内でバックプレーン方向に押圧して、プラグインコネクタ２２とプラグインコネクタ１３とを嵌合するように構成されている。
【００３０】
なお、プラグインコネクタ１３からプリント板２０を抜去する際には、それぞれカードレバー４，５を反対方向に回動操作することで、アーム６，７の遊端によって係合部材８，９が反対方向に押圧される。
【００３１】
つぎに、上記構成のＰＩＵ挿抜機構の詳細構成について、さらに説明する。
図３は、本発明の実施の形態１に係るＰＩＵ挿抜機構の主要部構成を示す分解斜視図である。
【００３２】
ガイドプレート３は、シェルフ１の前面側で起立したフロントプレート３ａが形成され、そこに所定間隔でカードレバー５を保持するための保持ブロック３１が固定される（図では１つだけを示す）。ガイドレール３２は、ガイドプレート３の下面にシェルフ１の背面側まで所定間隔で形成され、シェルフ１に挿入されたプリント板２０をバックプレーン１１まで案内する。ガイドプレート３には、バックプレーン１１を固定するためのエンドプレート３ｂが形成され、その近傍でガイドプレート３から上向きに切り起こされたガイド片３３が設けられている。そして、ガイド片３３にはガイド溝３３ａが形成されている。このガイド溝３３ａは、手前側では斜め上方に向かうとともに、後方は水平な形状をなす長孔として構成されている。
【００３３】
カードレバー５は、カードレバー本体５１と操作ハンドル５２とロックレバー５３から構成されている。カードレバー本体５１は、保持ブロック３１に対して第１のシャフト５１ａによって回動可能に取り付けられている。このカードレバー本体５１には、アーム７の基端が第２のシャフト５１ｂによって連結され、操作ハンドル５２が回動操作されると、アーム７に対して前後方向に作動させる力が作用するように構成されている。
【００３４】
第１のシャフト５１ａにはカードレバー付勢用ばね５４（第１の弾性部材）が掛け渡されており、操作ハンドル５２に力が加わっていない場合には、カードレバー本体５１がアーム７を手前側に引き出した状態となる方向に付勢している。したがって、操作ハンドル５２も水平状態に保持され、シェルフ１へのプリント板２０の挿入路を開放するようになっている。
【００３５】
ロックレバー５３は、ロックレバー付勢用ばね５５とともにスプリングピン５６によってカードレバー本体５１に対して回動自在に設けられ、ロックレバー５３の先端部分が保持ブロック３１に形成されたロック受け部３１ａと係合するように構成されている。このロックレバー５３は、シェルフ１にプリント板２０が嵌合したとき、ロックレバー付勢用ばね５５の力によってロックが掛かると、操作ハンドル５２が回動不能となって、カードレバー５をロック状態に保持できる。
【００３６】
アーム７は、第２のシャフト５１ｂによってカードレバー本体５１とそれぞれ連結された２枚の長尺板７ａ，７ｂと、長尺板７ａ，７ｂの中間部分で相互に連結する補強板７１，７２と、長尺板７ａ，７ｂにそれぞれ回転可能に軸支されたガイドピン７３、及びプッシュピン７４から構成されている。長尺板７ａ，７ｂは、先端部分が斜め下方向に折れ曲がって形成され、その遊端部の折れ曲がり部分で軸支されたガイドピン７３は、ガイドプレート３のガイド溝３３ａに挿通され全体としてほぼ水平状態に保持されている。プッシュピン７４は、ガイドピン７３より下方でガイドプレート３の下面に位置するように、長尺板７ａ，７ｂの折れ曲がった先端部分に取り付けられている。
【００３７】
つぎに、プリント板２０の挿入操作について、図４乃至図８にしたがって順次に説明する。
図４は、実施の形態１に係る電子装置におけるプラグインユニットの挿入操作（その１）を示す説明図である。
【００３８】
最初に、プリント板２０の先端部分に設けられた係合部材９の構成について説明する。この係合部材９は、プリント板２０の先端部分にねじ止めされるものであって、アーム７の遊端に設けたプッシュピン７４と係合可能な幅で、所定の深さを有する開口部９１が形成されるとともに、プラグインコネクタ２２が設けられているプリント板２０の端面まで、開口部９１から挿入方向に延びる平坦部９２と、開口部９１の手前側で、平坦部９２より高い前縁部９３とを備えている。ここでは、係合部材９のプリント板２０への取り付け位置は、バックプレーン１１からガイドプレート３のガイド片３３までの距離に対応して規定される。これらの位置関係については、挿入操作についての以下の説明により明らかにする。
【００３９】
図４において、まず、プリント板２０の上下をガイドレール３２に挿入して、プラグインユニットを全体としてシェルフ１の後方（挿入方向）へ移動させる。このとき、カードレバー５はカードレバー付勢用ばね５４の作用で水平状態に保持され、カードレバー５に連結されるアーム７が挿入方向手前側に引かれることで、ガイドピン７３はガイド溝３３ａ内の最上位部分に位置しているため、プラグインユニットをさらに押込んでいっても、アーム７のプッシュピン７４と係合部材９の平坦部９２との間には僅かに隙間がある状態となっていて、プリント板２０は水平状態を保持しながらプッシュピン７４と平坦部９２とは接触しない関係のまま、図５の状態まで押込まれる。
【００４０】
図５では、プラグインユニットの係合部材９は、その前縁部９３がプッシュピン７４に当接する。このとき、ガイド溝３３ａ内のガイドピン７３には、アーム７を挿入方向に引き込む力が働いて、図５に示すカードレバー５の操作ハンドル５２が反時計方向に回転を始める。そこで、プリント板２０を挿入するために操作ハンドル５２から回転力が加えられると、図６に示すように、更にプラグインユニットが挿入方向に移動し、係合部材９の前縁部９３に当接しているプッシュピン７４に押圧力が作用して、アーム７を後方に移動させることになる。
【００４１】
このとき、アーム７を遊端で支持するガイドピン７３は、ガイド溝３３ａ内で回転しながら案内され、プリント板２０に近づくように移動するので、アーム７の先端部分は斜め後ろ方向に移動することになる。こうして、プッシュピン７４は係合部材９の開口部９１に深く係合し、プリント板２０はプラグインコネクタ２２がバックプレーン１１のプラグインコネクタ１３に接触する位置まで押込まれる。図６の矢印Ａにより、このときのガイド溝３３ａに案内されて移動するアーム７の動きを示している。
【００４２】
図７では、プリント板２０のプラグインコネクタ２２の嵌合が開始される状態を示している。ここでは、意図的にカードレバー５の操作ハンドル５２を反時計方向に回転させて、プッシュピン７４を開口部９１の後縁に当接させる。この状態でカードレバー５をさらに回転させると、アーム７を介して挿入方向にプラグインユニットを移動させる押圧力が係合部材９に作用するため、プリント板２０に歪みを生じさせることなしに、プラグインコネクタ１３との嵌合が開始される。
【００４３】
つぎに、図８及び図９によって、プラグインユニットの挿入操作の際、ロックレバー５３が機能するに至る状態について説明する。
図８に示すように、カードレバー５の操作ハンドル５２を垂直に近い状態まで回動すると、保持ブロック３１上のロック受け部３１ａの斜面がロックレバー５３の先端斜面に係合して、ロックレバー付勢用ばね５５による付勢に逆らってロックレバー５３がスプリングピン５６の回りで回転する。図９では、さらにカードレバー５が回転されている。これによりプラグインユニットの嵌合が完了し、ロックレバー５３がロック受け部３１ａの斜面を乗り越え、互いの平坦面が係合された状態で、ロックレバー５３がロックレバー付勢用ばね５５によって付勢された状態になる。したがって、カードレバー５を抜去方向に回転させようとしても、その移動が規制されるから、プラグインコネクタ１３からの不用意なプラグインユニット抜去事故が防止できる。
【００４４】
なお、プラグインユニットの抜去操作に際しては、一度ロックレバー５３をロックレバー付勢用ばね５５に逆らって回転させることで、ロック状態を解除する。そのうえで、カードレバー４，５を逆方向に回動操作すれば、上述した手順が逆方向に実行され、プリント板２０がシェルフ１内でバックプレーン１１から離れる方向に押圧される。
【００４５】
以上に説明したブックシェルフ型の電子装置では、カードレバー４，５の回転力がそこに連結されたアーム６，７を前後方向に押圧するように変換され、これらのアーム６，７に取り付けられたガイドピン７３がシェルフ１側に設けたガイド溝３３ａに沿って駆動するとき、アーム６，７の先端に取り付けられたプッシュピン７４がプリント板２０の係合部材９と係合するように、ＰＩＵ挿抜機構が構成されている。したがって、プリント板２０の挿抜時にカードレバー４，５が回動操作されると、その回転力がシェルフ１のバックプレーン１１方向に延長形成されたアーム６，７を介してプリント板２０のバックプレーン１１に近い部分に伝達されるから、プリント板２０のたわみを抑えてシェルフ１に嵌合する方向の力が作用し、抜去方向の力が作用する。
【００４６】
しかも、このＰＩＵ挿抜機構では、プリント板２０のバックプレーン１１に近い部分を押圧して挿抜する際に、アーム６，７の遊端に軸支されたガイドピン７３が、ガイドプレート２，３に切り起こされたガイド片３３のガイド溝３３ａに案内されるように構成されている。そのため、カードレバー４，５を抜去方向に回動操作したとき、プッシュピン７４はプリント板２０上の係合部材８，９に形成された開口部９１の前縁部９３とだけしか係合しない。また、カードレバー４，５を挿入方向に回転させるときには、ガイドプレート２，３のガイド溝３３ａによって、プッシュピン７４が係合部材８，９の深い位置まで案内されることになる。したがって、コネクタの挿抜に要する力を効率良くプリント板２０に作用させることができる。
【００４７】
また、カードレバー４，５は、カードレバー付勢用ばね５４によって抜去方向へ回転するような力で常時付勢されているから、プラグインユニットの挿入前、シェルフ１の上下に配置されたカードレバー４，５がプラグインユニットの挿入を邪魔しない構成となっている。
【００４８】
さらに、カードレバー４，５はいずれもロックレバー５３を具備しているから、プリント板２０のプラグインが完了した時点でカードレバー４，５の操作がロックされ、アーム６，７の逆方向（抜去方向）へ戻る動作を規制できる。
【００４９】
（実施の形態２）
図１０は、上述した実施の形態１に係るプラグインユニットの挿入過程で生じ得る誤操作を示す説明図である。
【００５０】
ここでは、シェルフ１にプリント板２０をある程度まで挿入した状態で、係合部材９の開口部９１にプッシュピン７４が係合する以前に、カードレバー５が回動操作された場合を想定している。このような状態で、カードレバー本体５１の操作ハンドル５２を矢印方向に回動すると、アーム７は図１０の右方向に押圧されるから、その遊端に設けたガイドピン７３がガイド片３３のガイド溝３３ａに案内されて斜め下方にスライドする。したがって、アーム７の先端に設けたプッシュピン７４は係合部材９の平坦部９２を無駄に押圧する状態となる。
【００５１】
このようなカードレバー４，５の誤操作によって、プリント板２０には上下方向からの押圧力が生じるため、プリント板２０に上下方向の圧縮力が掛かってしまう。
そこで、以下に説明する実施の形態２に係るＰＩＵ挿抜機構では、実施の形態１の構成を一部変更して、ガイド片３３のガイド溝３３ａにガイドピン７３を退避させる退避路を形成している。すなわち、プリント板２０がシェルフ１に挿入された状態で、係合部材９の開口部９１がプッシュピン７４と係合する以前にカードレバー４，５を回動操作したとき、ガイドピン７３が退避路に案内されるように構成したものである。
【００５２】
図１１は、実施の形態２に係るＰＩＵ挿抜機構の主要部構成を示す分解斜視図である。ここでは、実施の形態１の構成部品と対応する部分には同一参照符号を付けており、実施の形態１の図３に示した構成と相違する以下の２点だけについて説明する。
【００５３】
第１の相違点は、カードレバー本体５１にアーム７の基端を連結する際に、第２のシャフト５１ｂ周りにアーム付勢用ばね（第２の弾性部材）７５が掛け渡されたことである。このアーム付勢用ばね７５は、アーム７の遊端に対してプッシュピン７４を開口部９１に押込む方向の回動力を付与している。
【００５４】
第２の相違点は、ガイドプレート３から上向きに切り起こされたガイド片３３に、実施の形態１におけるガイド溝３３ａとは別異の形状を有するガイド溝３３ｂが形成されていることである。このガイド溝３３ｂのガイドプレート３側の形状はガイド溝３３ａと同じであるが、その上部にガイドピン７３を退避させるスペース（退避路）が備えられていて、プリント板２０をシェルフ１に挿入した状態で、係合部材９の開口部９１にプッシュピン７４が係合する以前に、カードレバー４，５を回動操作したとき、ガイドピン７３をこのスペースに案内するように構成されている。
【００５５】
図１２乃至図１７は、実施の形態２に係る電子装置におけるプラグインユニットの挿入操作を示す説明図である。
図１２には、実施の形態１における図４に対応する状態が示されているが、カードレバー付勢用ばね５４の作用でアーム７は挿入方向手前側に引かれることで、ガイドピン７３はガイド溝３３ｂの最上位部分に位置するが、さらにアーム付勢用ばね７５によって、アーム７の遊端は下方向に押し下げられる様作用するから、ガイドピン７３はガイド溝３３ｂの斜面となる下縁に当接し下方向に押し下げられる力が作用している状態となっている。
【００５６】
この状態からさらにプラグインユニットが押込まれていっても、アーム７のプッシュピン７４とプリント板２０の先端部分に設けられた係合部材９の平坦部９２との間には僅かに隙間がある状態となっていて、プリント板２０の水平状態を保持しながらプッシュピン７４と平坦部９２とは接触しないまま、図１３の状態まで進む。このとき、係合部材９の前縁部９３とプッシュピン７４が当接するから、アーム７は後方に引っ張られることになるが、アーム用付勢ばね７５の作用によってアーム７の遊端は下方向に押し下げられているから、ガイドピン７３がガイド溝３３ｂの下縁に沿って移動し、したがって、アーム７の先端部分のプッシュピン７４が開口部９１の深い位置まで移動する。図１４には、このときのガイド溝３３ｂに案内されて移動するアーム７の動きを、矢印Ａにより示している。
【００５７】
図１５では、プリント板２０のプラグインコネクタ２２がバックプレーン１１のプラグインコネクタ１３に嵌合され始める状態を示している。この状態でカードレバー５をさらに回転させると、プラグインユニットにはアーム７を介して挿入方向に移動させる押圧力が係合部材９に作用するため、プリント板２０に歪みを生じさせることなしに、プラグインコネクタ１３との嵌合が開始される。
【００５８】
図１６及び図１７では、プラグインユニットの挿入操作が完了する状態を示しており、ロックレバー５３によってカードレバー５がロックされる。
図１８は、プラグインユニットの挿入過程における誤操作の回避動作を示す説明図である。
【００５９】
いま、プリント板２０をシェルフ１に十分に挿入しないまま、アーム６，７によって嵌合操作が行われたとする。ここで、プッシュピン７４が係合部材９の開口部９１と係合していない状態では、カードレバー４，５を操作しても、アーム７の遊端をガイドするガイドピン７３がガイド溝３３ｂの退避路に相当するスペースに案内されるため、プッシュピン７４は図１８の矢印Ｂ方向に移動されるだけで、プリント板２０を上下方向から押圧する力が加わらない。したがって、カードレバー４，５が誤操作されても、プッシュピン７４がプリント板２０を挿入する方向に押圧しないだけでなく、プリント板２０にダメージを与えることもなくなる。
【００６０】
（付記１）  ブックシェルフ型の電子装置にプリント板を挿抜可能とした電子装置のＰＩＵ挿抜機構において、
前記プリント板が実装されるバックプレーンを背面に有するシェルフと、
前記シェルフの前面で軸支され、前記プリント板の挿抜時に回動操作されるカードレバーと、
前記カードレバーと基部が連結されるとともに、遊端が前記シェルフのバックプレーン方向に延長形成されたアームと、
前記プリント板が前記シェルフ内に挿入された状態で、前記アームの遊端と係合するように前記プリント板の先端部分に設けられた係合部材と、
を備え、
前記カードレバーを一方向へ回動操作することで前記アームの遊端が前記係合部材に係合し、さらに回動操作することで、前記アームの遊端によって前記係合部材を介して前記プリント板が前記シェルフ内でバックプレーン方向に押圧されるとともに、前記カードレバーを他方向に回動操作することで、前記アームの遊端によって前記係合部材を介して前記プリント板が前記シェルフ内でバックプレーンから離れる方向に押圧されるように構成したことを特徴とする電子装置のＰＩＵ挿抜機構。
【００６１】
（付記２）  前記カードレバーは、前記他方向への回動力を付与する第１の弾性部材を備え、
前記シェルフの前面から前記プリント板が挿入され、あるいは抜去される間は、前記カードレバーを前記アームと平行状態に保持するように構成したことを特徴とする付記１記載の電子装置のＰＩＵ挿抜機構。
【００６２】
（付記３）  前記係合部材は、前記アームの遊端が係合するように、所定の深さに形成された開口部を備え、
前記バックプレーンのコネクタから前記プリント板が抜去された状態で、前記カードレバーを前記他方向にさらに回動操作したとき、前記アームの遊端が前記開口部から離脱するように構成したことを特徴とする付記１記載の電子装置のＰＩＵ挿抜機構。
【００６３】
（付記４）  前記アームは、前記シェルフのバックプレーン近傍に形成されたガイド溝によって案内されるガイドピンと、前記開口部と係合するプッシュピンを、その遊端部分に備え、
前記アームを延長方向に押圧することによって、前記プッシュピンが前記開口部の底部まで誘導されるように構成したことを特徴とする付記３記載の電子装置のＰＩＵ挿抜機構。
【００６４】
（付記５）  前記係合部材は、前記プリント板に対して前記バックプレーンから離間する方向への力を作用させる際に、前記プッシュピンが前記開口部の前縁部に当接するように構成したことを特徴とする付記４記載の電子装置のＰＩＵ挿抜機構。
【００６５】
（付記６）  前記ガイド溝は、前記ガイドピンを退避させる退避路を備え、
前記プリント板を前記シェルフへ挿入した状態で、前記係合部材が前記プッシュピンと係合する以前に前記カードレバーを前記一方向へ回動操作したとき、前記ガイドピンを前記退避路に案内するように構成したことを特徴とする付記４記載の電子装置のＰＩＵ挿抜機構。
【００６６】
（付記７）  前記アームは、その遊端を前記開口部に押込む方向の回動力を付与する第２の弾性部材を備え、
前記プリント板が前記シェルフへ挿入された状態で、前記プッシュピンを前記係合部材に押圧するように構成したことを特徴とする付記４記載の電子装置のＰＩＵ挿抜機構。
【００６７】
（付記８）  前記カードレバーは、その操作ハンドルを操作不能に固定するロックレバーを備え、
前記バックプレーンのコネクタに前記プリント板が嵌合するまで回動操作されたとき、前記ロックレバーをロック状態にするように構成したことを特徴とする付記１記載の電子装置のＰＩＵ挿抜機構。
【００６８】
（付記９）  前記ロックレバーは、前記カードレバーが一方向へ所定の角度だけ回転したとき、前記カードレバーの保持部に形成されたロック受け部と係合して、前記カードレバーの回転をロックするようにしたことを特徴とする付記８記載の電子装置のＰＩＵ挿抜機構。
【図面の簡単な説明】
【００６９】
【図１】本発明に係るブックシェルフ型の電子装置の全体構成を示す斜視図である。
【図２】プラグインユニットがバックプレーンと接続された状態で示す部分説明図である。
【図３】本発明の実施の形態１に係るＰＩＵ挿抜機構の主要部構成を示す分解斜視図である。
【図４】実施の形態１に係る電子装置におけるプラグインユニットの挿入操作（その１）を示す説明図である。
【図５】実施の形態１に係る電子装置におけるプラグインユニットの挿入操作（その２）を示す説明図である。
【図６】実施の形態１に係る電子装置におけるプラグインユニットの挿入操作（その３）を示す説明図である。
【図７】実施の形態１に係る電子装置におけるプラグインユニットの挿入操作（その４）を示す説明図である。
【図８】実施の形態１に係る電子装置におけるプラグインユニットの挿入操作（その５）を示す説明図である。
【図９】実施の形態１に係る電子装置のバックプレーンと接続されたプラグインユニットを示す説明図である。
【図１０】実施の形態１に係るプラグインユニットの挿入過程で生じ得る誤操作を示す説明図である。
【図１１】実施の形態２に係るＰＩＵ挿抜機構の主要部構成を示す分解斜視図である。
【図１２】実施の形態２に係る電子装置におけるプラグインユニットの挿入操作（その１）を示す説明図である。
【図１３】実施の形態２に係る電子装置におけるプラグインユニットの挿入操作（その２）を示す説明図である。
【図１４】実施の形態２に係る電子装置におけるプラグインユニットの挿入操作（その３）を示す説明図である。
【図１５】実施の形態２に係る電子装置におけるプラグインユニットの挿入操作（その４）を示す説明図である。
【図１６】実施の形態２に係る電子装置におけるプラグインユニットの挿入操作（その５）を示す説明図である。
【図１７】実施の形態２に係る電子装置のバックプレーンと接続されたプラグインユニットを示す説明図である。
【図１８】プラグインユニットの挿入過程における誤操作の回避動作を示す説明図である。
【図１９】従来のバックプレーンを有するブックシェルフ型の電子装置の全体構成を示す斜視図である。
【図２０】（ａ）は従来の電子装置に収納されるプリント板の構成を示す平面図、（ｂ）は同じくバックプレーンと接続された状態でプリント板の主要部を示す側面図である。
【図２１】従来のプラグインユニットとして組み立てられたプリント板を示す斜視図である。
【図２２】従来のプラグインユニットを分解した状態で示す斜視図である。
【図２３】従来のプラグインユニットの表面、およびその上部平面と側部平面を示す図である。
【図２４】従来のプラグインユニットの裏面を示す三面図である。
【図２５】従来の電子装置におけるプラグインユニットの挿入操作（その１）を示す説明図である。
【図２６】従来の電子装置におけるプラグインユニットの挿入操作（その２）を示す説明図である。
【図２７】従来の電子装置におけるプラグインユニットの挿入操作（その３）を示す説明図である。
【図２８】従来の電子装置のバックプレーンと接続されたプラグインユニットを示す説明図である。
【図２９】従来の電子装置におけるプラグインユニットの挿入操作に係る課題を説明する図である。
【符号の説明】
【００７０】
１  シェルフ
２，３  ガイドプレート
４，５  カードレバー
６，７  アーム
７ａ，７ｂ  長尺板
８，９  係合部材
１１  バックプレーン
１２  ガイドレール
１３，２２  プラグインコネクタ
１４，１５  ストライクプレート
２０  プリント板
２１  フロントパネル
３１  保持ブロック
３１ａ  ロック受け部
３２  ガイドレール
３３  ガイド片
３３ａ，３３ｂ  ガイド溝
５１  カードレバー本体
５１ａ  第１のシャフト
５１ｂ  第２のシャフト
５２  操作ハンドル
５３  ロックレバー
５４  カードレバー付勢用ばね（第１の弾性部材）
５５  ロックレバー付勢用ばね
５６  スプリングピン
７１，７２  補強板
７３  ガイドピン
７４  プッシュピン
７５  アーム付勢用ばね（第２の弾性部材）
９１  開口部
９２  平坦部
９３  前縁部
【図１】
2008047746.tif 000003
【図２】
2008047746.tif 000004
【図３】
2008047746.tif 000005
【図４】
2008047746.tif 000006
【図５】
2008047746.tif 000007
【図６】
2008047746.tif 000008
【図７】
2008047746.tif 000009
【図８】
2008047746.tif 000010
【図９】
2008047746.tif 000011
【図１０】
2008047746.tif 000012
【図１１】
2008047746.tif 000013
【図１２】
2008047746.tif 000014
【図１３】
2008047746.tif 000015
【図１４】
2008047746.tif 000016
【図１５】
2008047746.tif 000017
【図１６】
2008047746.tif 000018
【図１７】
2008047746.tif 000019
【図１８】
2008047746.tif 000020
【図１９】
2008047746.tif 000021
【図２０】
2008047746.tif 000022
【図２１】
2008047746.tif 000023
【図２２】
2008047746.tif 000024
【図２３】
2008047746.tif 000025
【図２４】
2008047746.tif 000026
【図２５】
2008047746.tif 000027
【図２６】
2008047746.tif 000028
【図２７】
2008047746.tif 000029
【図２８】
2008047746.tif 000030
【図２９】
2008047746.tif 000031